(57)【要約】【課題】往信時には封筒、或いは宅配便用の袋や投げ込み投函用のポスティング袋等として使用され、返信時には葉書として通信される返信用葉書付きの往復通信用袋体に関し、封筒の厚さを葉書の規格寸法に合わせて厚くする必要がなく、また印刷のためのコストも必要以上に増大することがなく、従って従来の往復通信用の封筒等に比べて製造コストを低減させることができ、しかも返信用葉書の宛先、宛名等の表示を、少なくとも往信時には好適に隠蔽することができる往復通信用袋体を提供することを課題とする。【解決手段】袋本体のいずれか一片が他片より延長されて封緘片が形成され、且つ該封緘片に返信用葉書片が具備されていることを特徴とする。【選択図】    図１
2004256146.tif 000002
【特許請求の範囲】
【請求項１】
袋本体（１）  のいずれか一片（１ａ）が他片（１ｂ）より延長されて封緘片（３）  が形成され、且つ該封緘片（３）  に返信用葉書片（９）  が具備されていることを特徴とする往復通信用袋体。
【請求項２】
返信用葉書片（９）  がミシン目を介して封緘片（３）  から切り取り可能に形成されている請求項１記載の往復通信用袋体。
【請求項３】
返信用葉書片（９）  を具備する封緘片（３）  が、２枚の紙片（３ａ），（３ｂ）  を積層して構成されている請求項１又は２記載の往復通信用袋体。
【発明の詳細な説明】
【０００１】
【発明の属する技術分野】
本発明は、往復通信用袋体、さらに詳しくは、往信時には封筒、或いは宅配便用の袋や投げ込み投函用のポスティング袋等として使用され、返信時には葉書として通信される返信用葉書付きの往復通信用袋体に関する。
【０００２】
【従来の技術及び発明が解決しようとする課題】
周知のように、往復通信のための通信媒体として往復葉書が広く用いられているが、封筒の場合には往復通信用としては現在ごく一部のものしか用いられていない。
【０００３】
その一例として、たとえば返信用の葉書を封入物とともに往信用の封筒内に封入して用いられるものがある。この種の封筒は、たとえば商品等に関する説明書を封入物として封筒内に封入するとともに、その商品等の購入の申込を行うための葉書を返信用葉書として封入し、商品購買のためのダイレクトメール用等として用いられる。また宅配便等、郵便以外の通信手段が普及しつつあることから、このような商品等の購入申込用葉書を同封した宅配便用の袋も近年利用されている。
【０００４】
そして、この種の封筒等は、商品購買ダイレクトメール用以外の用途でも用いられることがあるが、いずれにしても封筒とは別に返信用葉書を準備しなければならないため、往信用の封筒等と返信用の葉書との印刷も別々に行わなければならず、全体としての製造コストが一般の封筒に比べて増大することとなっていた。
【０００５】
一方、従来の往復封筒の他の例として、たとえば図２１に示すように、袋本体１ｃのいずれか一片に、返信用葉書片９ｃを具備させ、ミシン目２１を介して切り取り可能に構成されたものがある。このような封筒は、往信時には一般の封筒と同様に用いられ、返信時には返信用葉書片９ｃに所定事項を記入した上でミシン目２１を介して返信用葉書片９ｃを切り取り、返信して使用されるものである。
【０００６】
そして、切手の貼着を不要とする表示欄２２は、往信時に封緘片３ｃによって覆い隠され、郵送時に混乱が生じないように工夫がなされている。
【０００７】
しかし、葉書には封筒にはない郵便法上の規則が定められており、その規則を満たす条件の１つとして葉書の厚さが所定以上の厚さであることが要求される。従って、上記のようにミシン目を介して切り取り可能な葉書を封筒本体の一部に具備させた封筒においては、郵便法上で要求される葉書の厚みが、結果的にそのまま封筒の厚みとなる。
【０００８】
ところが、一般に用いられている封筒の紙の厚さは、郵便法上の葉書に要求される紙の厚さに比べて薄い。従って、上記のようなミシン目を介して切り取り可能な葉書を具備させた封筒の製造コストは、一般の封筒に比べて相当高くなっていたのである。
【０００９】
また、返信時に返信用葉書片９ｃを切り取った時点で、封筒本体が解体されてしまうので、封筒自体を再利用することはできない。
【００１０】
さらに、上記図２１に示すような封筒は、切手の貼着を不要とする表示欄２２は封緘片３ｃによって隠蔽できても、返信用葉書片９ｃに表示された宛先、宛名の表示の全体を隠蔽することはできない。
【００１１】
本発明は、以上のような問題点を解決するためになされたもので、封筒の厚さを葉書の規格寸法に合わせて厚くする必要がなく、また印刷のためのコストも必要以上に増大することがなく、従って従来の往復通信用の封筒等に比べて製造コストを低減させることができ、しかも返信用葉書の宛先、宛名等の表示を、少なくとも往信時には好適に隠蔽することができる往復通信用袋体を提供することを課題とするものである。
【００１２】
【課題を解決するための手段】
本発明は、このような課題を解決するためになされたもので、その課題を解決するための手段は、袋本体１のいずれか一片１ａが他片１ｂより延長されて封緘片３が形成され、且つ該封緘片３に返信用葉書片９が具備されていることである。
【００１３】
返信用葉書片９は、たとえばミシン目を介して封緘片３から切り取り可能に形成されている。
【００１４】
また、返信用葉書片９を具備する封緘片３は、好ましくは２枚の紙片３ａ，３ｂ  を積層して構成される。
【００１５】
【発明の実施の形態】
以下、本発明の実施形態について図面に従って説明する。
【００１６】
（実施形態１）
本実施形態の往復通信用封筒の袋本体１は、図１乃至図３に示すように、該袋本体１を構成する表裏両片１ａ，１ｂ  の両側縁部２ａ，２ｂ  及び底縁部２ｃの三方を熱圧着し、全体が縦長の長方形状の袋状に形成されている。
【００１７】
前記袋本体１の一片１ａは紙からなり、また他片１ｂは延伸ポリプロピレン等の合成樹脂フィルムからなり、前記紙製の一片１ａの裏面側には図５に示すように、延伸ポリプロピレンからなるラミネート層４が塗着によって形成されている。このように袋本体１の一片１ａの裏面側に、袋本体１の他片１ｂと同じ材質の延伸ポリプロピレンからなるラミネート層４が形成されていることによって、上記のように袋本体１の表裏両片１ａ，１ｂ  の両側縁部２ａ，２ｂ  及び底縁部２ｃの三方が好適に熱圧着されるのである。
【００１８】
袋本体１の一片１ａは、袋本体１の上部の開口部５から他片１ｂより延出され、その延出された部分が封緘片３として形成されている。この封緘片３は、図６に示すように、延伸ポリプロピレンからなるラミネート層６ａ，６ｂ  が形成された２枚の紙片３ａ，３ｂ  が、該ラミネート層６ａ，６ｂ  の面を相互に対面させ接着されることによって形成されている。そして、この封緘片３は、縦長の長方形状に形成されている。
【００１９】
そして、封緘片３の上下には、ミシン目７，８が横方向に形成されており、その上下のミシン目７，８間が、返信用の葉書を形成するための葉書形成片９として形成されている。さらに、上部のミシン目７の上側及び下部のミシン目８の下側には、図３に示すように接着剤１０，１１  を介して離型材１２，１３  が設けられている。
【００２０】
袋本体１の一片１ａの表面側には、往信時の宛先宛名表示欄１４が形成されている。また、葉書形成片９の内面側の紙片３ｂには、返信時の宛先宛名表示欄１５が形成されており、葉書形成片９の外面側の紙片３ａには、回答表示欄１６が形成されている。そして、葉書形成片９の周囲の四方には図２に示すように熱圧着によるシール部２３が形成されている。さらに、袋本体１の他片１ｂの表面には宣伝広告等用の文字、絵柄が、グラビア印刷によって施されている。
【００２１】
また、袋本体１の両片１ａ，１ｂ  の三方側縁は前記フィルムからなる他片１ｂ側から熱圧着されているため、図４に示すように、熱圧着された両側縁部２ａ，２ｂ  が他片１ｂ側にやや屈曲した状態に形成され、両片１ａ，１ｂ  間が密着せずに形成されてなる。
【００２２】
そして、上記のような構成からなる往復通信用封筒を使用する場合について説明すると、往信時においては、発信者は袋本体１の一片１ａ側の宛先宛名表示欄１４に所定の宛先宛名を表示し、袋本体１内に所定事項を記載した封入物１７（たとえばダイレクトメール用として商品を表示した用紙等）を開口部５から袋本体１内に収容し、図７に示すように封緘片３を折り曲げて袋本体１の他片１ｂ側に接着する。より具体的には、離型材１２，１３  を剥離し、封緘片３の先端部側を、接着剤１０を介して袋本体１の他片１ｂの比較的下側に接着し、封緘片３の根元部側を、接着剤１１を介して袋本体１の他片１ｂの上側、すなわち開口部５の近辺に接着する。
【００２３】
本実施形態の封緘片３は、上述のように葉書形成片９を具備して長く形成されているが、上下２箇所の接着剤１０，１１  によって袋本体１の他片１ｂに接着されるので、不用意に剥離されることなく、封緘状態が確実に維持されることとなる。
【００２４】
一方、上記のような往復通信用封筒を受信した受信者は、封緘片３を袋本体１から剥離し、封入物を見て葉書形成片９の回答表示欄１６に所定事項を表示し（たとえば商品の申し込みを行う等）、図８及び図９に示すようにミシン目７，８を介して葉書形成片９を封緘片３から切り取り、その葉書形成片９を返信用の葉書として返信する。ここで、返信時の宛先宛名表示欄１５には一般には所定の宛先宛名が予め表示されているが、表示されていない場合には、受信者がその宛先宛名表示欄１５に所定の宛先宛名を記入して返信する。
【００２５】
本実施形態においては、返信用葉書となる葉書形成片９が封緘片３に具備され、且つ返信時の宛先宛名表示欄１５が、葉書形成片９の内面側の紙片３ｂに形成されているため、封緘片３で封筒本体１が封緘された状態においては、その葉書形成片９の内面側の宛先宛名表示欄１５は、袋本体１の他片１ｂと対面した状態となって覆い隠されるため、外部から見えない状態となる。
【００２６】
従って往信時においては、袋本体１の一片１ａ側の宛先宛名表示欄１４に表示された宛先宛名に基づいて郵送がなされ、葉書形成片９の内面側の宛先宛名表示欄１５は外部に裸出されないので、郵送上混乱が生ずるようなことがない。
【００２７】
一方、返信時には、封緘片３を袋本体１から剥離させることで葉書形成片９の宛先宛名表示欄１５を裸出させることができ、また上下のミシン目７，８を介して切り取られた葉書形成片９を返信用葉書として好適に使用することができるのである。
また、葉書形成片９を切り取った後においても、袋本体１はそのまま残存し、短い封緘片３も残存しているので、たとえば書類保管用等として封筒を再利用することもできる。
【００２８】
（実施形態２）
本実施形態では、図１０及び図１１に示すように、袋本体１及び封緘片３が横長の長方形状に形成され、その点で、袋本体１及び封緘片３が横長の長方形状に形成されていた実施形態１の場合と相違する。
【００２９】
本実施形態においても、ミシン目７，８を介して切り取り可能な葉書形成片９が具備されているが、その葉書形成片９は、実施形態１と相違し、横向きに配置されている。また、葉書形成片９は、実施形態１のように封緘片３のほぼ全体にわたって形成されているのではなく、封緘片３の面積の半分より少し大きめの面積を有するように形成されている。
そして、葉書形成片９の部分をそれ以外の部分と区画するように、前記ミシン目７，８に架け渡すように縦方向にミシン目２４が形成されている。
【００３０】
袋本体１の一片１ａの表面側に往信時の宛先宛名表示欄１４が形成されているとともに、葉書形成片９の内面側の紙片３ｂに返信時の宛先宛名表示欄１５が形成されている点、袋本体１を構成する表裏両片１ａ，１ｂ  の両側縁部２ａ，２ｂ  及び底縁部２ｃの三方が熱圧着されている点、葉書形成片９の周囲の四方にシール部２３が形成されている点、封緘片３の上部及び根元部に接着剤１０，１１  及び離型材１２，１３  が形成されている点、葉書形成片９の外面側の紙片３ａに回答表示欄１６が形成されている点、袋本体１の他片１ｂの表面に宣伝広告等用の文字、絵柄がグラビア印刷によって施されている点等は、実施形態１と同様である。
【００３１】
本実施形態においても、往信時には発信者が袋本体１の宛先宛名表示欄１４に所定の宛先宛名を表示し、封入物１７を袋本体１内に収容し、図１３に示すように封緘片３を折り曲げて袋本体１の他片１ｂ側に接着して郵送する。また、返信時には、封緘片３を袋本体１から剥離し、葉書形成片９の回答表示欄に所定事項を表示した後、図１４に示すようにミシン目７，８，２４を介して葉書形成片９を封緘片３から切り取り、その葉書形成片９を返信用の葉書として返信することができる。
【００３２】
さらに、葉書形成片９の宛先宛名表示欄１５が、葉書形成片９の内面側の紙片３ｂに形成され、封緘片３で袋本体１が封緘された状態において、その葉書形成片９の内面側の宛先宛名表示欄１５が外部から見えない状態となるので、往信時において宛先宛名表示欄１４に表示された宛先宛名に基づいて郵送がなされる一方で、葉書形成片９の内面側の宛先宛名表示欄１５は外部に裸出されないので、郵送上混乱が生ずるようなことがない。
【００３３】
また、返信時には封緘片３を剥離させることで葉書形成片９の宛先宛名表示欄１５を裸出させ、ミシン目７，８，２４を介して切り取られた葉書形成片９を返信用葉書として好適に使用することができるのである。
【００３４】
（実施形態３）
本実施形態では、大型の封筒を対象としており、その点で小形の封筒を対象とする実施形態１や実施形態２と相違する。
本実施形態では、図１５及び図１６に示すように、袋本体１は縦長の長方形状に形成されているが、封緘片３は横長の長方形状に形成されており、この点で実施形態１や実施形態２と相違する。
【００３５】
本実施形態においても、ミシン目７，８を介して切り取り可能な葉書形成片９が具備され、その葉書形成片９は実施形態２と同様に横向きに配置されている。そして、実施形態２と同様にミシン目７，８に架け渡すように縦方向にミシン目２４が形成されている。
【００３６】
袋本体１の一片１ａの表面側に往信時の宛先宛名表示欄１４が形成されているとともに、葉書形成片９の内面側の紙片３ｂに返信時の宛先宛名表示欄１５が形成されている点、袋本体１を構成する表裏両片１ａ，１ｂ  の両側縁部２ａ，２ｂ  及び底縁部２ｃの三方が熱圧着されている点、葉書形成片９の周囲の四方にシール部２３が形成されている点、封緘片３の上部及び根元部に接着剤１０，１１  及び離型材１２，１３  が形成されている点、葉書形成片９の外面側の紙片３ａに回答表示欄１６が形成されている点、袋本体１の他片１ｂの表面に宣伝広告等用の文字、絵柄がグラビア印刷によって施されている点等は、実施形態１と同様である。
【００３７】
本実施形態においても、往信時には発信者が袋本体１の宛先宛名表示欄１４に所定の宛先宛名を表示し、封入物１７を封筒本体１内に収容し、図１８に示すように封緘片３を折り曲げて封筒本体１の他片１ｂ側に接着して郵送する。
【００３８】
また、返信時には、封緘片３を袋本体１から剥離し、葉書形成片９の回答表示欄１６に所定事項を表示した後、図１９に示すようにミシン目７，８，２４を介して葉書形成片９を封緘片３から切り取り、その葉書形成片９を返信用の葉書として返信することができる。
【００３９】
本実施形態においても、葉書形成片９の宛先宛名表示欄１５が、葉書形成片９の内面側の紙片３ｂに形成され、封緘片３で袋本体１が封緘された状態において、その葉書形成片９の内面側の宛先宛名表示欄１５が外部から見えない状態となるので、往信時において宛先宛名表示欄１４に表示された宛先宛名に基づいて郵送がなされる一方で、葉書形成片９の内面側の宛先宛名表示欄１５は外部に裸出されないので、郵送上混乱が生ずるようなことがない。
【００４０】
また、返信時には封緘片３を剥離させることで葉書形成片９の宛先宛名表示欄１５を裸出させ、ミシン目７，８，２４を介して切り取られた葉書形成片９を返信用葉書として好適に使用することができるのである。
【００４１】
（実施形態４）
本実施形態では、実施形態１と同様に袋本体１及び封緘片３がともに縦長に形成されているが、葉書形成片９の幅が袋本体１の幅より狭く形成されている点で、葉書形成片９が袋本体１と同幅に形成されていた実施形態１の場合と相違する。
【００４２】
すなわち、本実施形態では、図２０に示すように封緘片３の上下のミシン目７，８の他に、そのミシン目７，８と平行にミシン目１８が形成され、さらに縦方向にもミシン目１９が形成されている。また、シール部２３は、葉書形成片９の周囲四方の他、封緘片３の周囲四方にも形成されている。
【００４３】
本実施形態では、袋本体１の幅が、葉書形成片９の幅より広く形成されているので、実施形態１に比べると封入物を袋本体１内により容易に封入することができるが、形成するミシン目の数やシール部２３の数が増えるので、その分実施形態１に比べると製造は煩雑となる。
【００４４】
ただし、本実施形態と実施形態１とで製造の煩雑さや封入物の封入の容易さに顕著な差異があるわけではなく、一般の封筒と同様に要求される大きさに応じて使い分けがなされることとなる。
本実施形態においても、往信時において葉書形成片９の内面側の宛先宛名表示欄１５は外部に裸出されないので、好適に郵送することができる。
【００４５】
（その他の実施形態）
尚、上記実施形態では、袋本体１の一片１ａが紙、他片１ｂが合成樹脂製フィルムで構成されていたが、これに限らず、袋本体１の両片１ａ，１ｂ  をともに紙で構成するとも可能である。
【００４６】
また、上記実施形態では袋本体１の他片１ｂのフィルムとして延伸ポリプロピレン製のフィルムを使用したが、フィルムの種類はこれに限定されず、例えばポリエチレンテレフタレート、ポリプロピレン、ポリエチレン等のフィルムを使用することもできる。
【００４７】
さらに上記実施形態では、封緘片３を２枚の紙片３ａ，３ｂ  を積層して構成したため、それらの紙片３ａ，３ｂ  自体の厚みを必要以上に厚くしなくとも、封緘片３で構成される葉書形成片９は、葉書の規格寸法に合致した所定の厚さに形成することができるという好ましい効果が得られたが、このように封緘片３を２枚の紙片３ａ，３ｂ  を積層して構成することは必須の条件ではない。
【００４８】
さらに、上記実施形態では、袋本体１の一片１ａの裏面側に、ラミネート層４を形成し、そのラミネート層４を介して袋本体１の紙製の一片１ａが合成樹脂製の他片１ｂに接着されていたが、このようなラミネート層４を形成せずに、たとえば感熱接着剤を袋本体１の両側縁部２ａ，２ｂ  及び底縁部２ｃの三辺に設け、その感熱接着剤を介して一片１ａを他片１ｂに接着するようにしてもよい。
【００４９】
さらに、上記実施形態では袋本体１の一片１ａの表面側に、往信時における宛先宛名表示欄１４として形成したが、このような宛先宛名表示欄１４を形成することは本発明に必須の条件ではなく、たとえば袋本体１の一片１ａ側を略長方形状に切り欠くとともに、その切り欠かれた部分に透明な合成樹脂フィルムを貼着して窓部を形成し、その窓部から、袋本体１内に封入された封入物に表示された住所、氏名等の表示を裸出させるようにしてもよい。
【００５０】
尚、袋本体１の一片１ａが合成樹脂製フィルムで構成されている場合には、そのフィルムの一部を残して透明な窓部を形成し、窓部以外に不透明な印刷を施すことによって封筒内部を隠蔽するようにしてもよい。
【００５１】
さらに、上記実施形態では、開口部５が袋本体１の上部に形成され、その開口部５から封緘片３が袋本体１の一片１ａの上部を他片１ｂより延長して形成されていたが、開口部５は袋本体１の側部に形成されていてもよい。この場合には、封緘片３は袋本体１の側方に延長して形成されることとなる。
【００５２】
さらに、上記実施形態では、往復通信用袋体を封筒に適用する場合について説明したが、封筒に限らず、たとえば宅配便用の袋体に適用することも可能である。この場合、袋本体１に往信時における宛先宛名表示欄１４を形成することも可能ではあるが、袋本体１にはこのような宛先宛名表示欄１４を形成せず、宛先宛名を表示したラベル、シール、帳票等を袋本体１に貼着してもよい。
【００５３】
さらに、封筒や宅配便用袋体のように郵送，輸送を前提とするもの以外に、たとえば投げ込み投函用のポスティング袋のようなものに本発明を適用することも可能である。この場合には、発信者が往復通信用袋体を持参して直接受信者の住居等の投函口に入れるので、往信時における宛先宛名の表示が不要となり、従って宛先宛名表示欄１４を袋本体１に表示する必要もない。ただし、この場合でも封緘片３に葉書形成片９が具備されているので、受信者はその葉書形成片９を切り取って、返信用葉書として往信者に返信することができるのである。
【００５４】
【発明の効果】
以上のように、本発明は、袋本体のいずれか一片が他片より延長されて封緘片が形成され、且つ該封緘片に返信用葉書片が具備されているものであるため、その往信時においては、封緘片を封緘することによって、同時に返信用葉書片が折り曲げられてその返信用葉書片の宛先、宛名表示欄が隠蔽され、外部に裸出されることがないので、郵送業務上或いは郵便法上何ら混乱を生ずることなく往復通信を行うことができるという効果がある。
【００５５】
また、葉書形成片は、袋本体に形成されているのではなく、封緘片に形成されているので、郵便法上の規則に合致するような葉書の厚みに合わせて袋本体を形成するような必要がなく、封緘片のみを厚くすればよいので、製造コストが高くなることもない。
【００５６】
特に、返信用葉書片を具備する封緘片が、２枚の紙片を積層して構成されている場合には、それらの紙片自体の厚みを必要以上に厚くしなくとも、封緘片で構成される葉書形成片を、葉書の規格寸法に合致した所定の厚さに形成することができるという効果がある。
【００５７】
さらに、葉書形成片が封緘片上に形成されているので、葉書形成片への必要な印刷も、封筒本体と封緘片とに同時に行う一連の印刷工程において行うことができ、印刷のためのコストも高くなることがない。
【００５８】
また、封筒とは別に返信用葉書を準備する必要もなく、全体としての製造コストも安価となる。
【００５９】
さらに、返信時に返信用葉書片を切り取っても、袋本体が解体されるわけではないので、封筒自体を再利用することもできる。
【００６０】
返信用葉書片がミシン目を介して封緘片から切り取り可能に形成されている場合には、返信時において迅速且つ簡易に返信用葉書を袋体から分離して返信することができるという効果がある。
【図面の簡単な説明】
【図１】一実施形態の往復封筒の正面図。
【図２】同背面図。
【図３】図１のＡ−Ａ線断面図。
【図４】図１のＢ−Ｂ線断面図。
【図５】袋本体の要部拡大断面図。
【図６】封緘片の要部拡大断面図。
【図７】封緘時の断面図。
【図８】葉書形成片を切り取った状態の背面図。
【図９】同じ切り取った状態の断面図。
【図１０】他実施形態の正面図。
【図１１】同背面図。
【図１２】図１０のＣ−Ｃ線断面図。
【図１３】同封緘時の断面図。
【図１４】同葉書形成片を切り取った状態の背面図。
【図１５】他実施形態の正面図。
【図１６】同背面図。
【図１７】図１５のＤ−Ｄ線断面図。
【図１８】同封緘時の断面図。
【図１９】同葉書形成片を切り取った状態の背面図。
【図２０】他実施形態の背面図。
【図２１】従来の往復封筒の正面図
【図２２】同封緘時の背面図。
【符号の説明】
１…袋本体              １ａ…一片
１ｂ…他片                ３…封緘片
９…葉書形成片
【図１】
2004256146.tif 000003
【図２】
2004256146.tif 000004
【図３】
2004256146.tif 000005
【図４】
2004256146.tif 000006
【図５】
2004256146.tif 000007
【図６】
2004256146.tif 000008
【図７】
2004256146.tif 000009
【図８】
2004256146.tif 000010
【図９】
2004256146.tif 000011
【図１０】
2004256146.tif 000012
【図１１】
2004256146.tif 000013
【図１２】
2004256146.tif 000014
【図１３】
2004256146.tif 000015
【図１４】
2004256146.tif 000016
【図１５】
2004256146.tif 000017
【図１６】
2004256146.tif 000018
【図１７】
2004256146.tif 000019
【図１８】
2004256146.tif 000020
【図１９】
2004256146.tif 000021
【図２０】
2004256146.tif 000022
【図２１】
2004256146.tif 000023
【図２２】
2004256146.tif 000024